(57)【要約】【課題】ペット用携帯便器を持ち運びを容易とすべくコンパクトに収納できるようにする。【解決手段】支持枠４の一端側に、棒状の柄２の下端が嵌合した柄取付部３を設け、他端側に前記支持枠４に内嵌して収納袋５を挟んで固定する挟持枠６を屈曲自在に接続しており、この収納袋５に排泄物１７を捕集するものであって、前記柄取付部３を、前記柄２に沿って折り畳まれた収納姿勢と、前記支持枠４を水平に保持した展開姿勢とに切り替え自在に支持枠４に接続すると共に、前記柄２を長さ方向に伸縮自在としている。【選択図】図１
0003112061.tif 000002
【実用新案登録請求の範囲】
【請求項１】
支持枠（４）の一端側に、棒状の柄（２）の下端が嵌合した柄取付部（３）を設け、他端側に前記支持枠（４）に内嵌して収納袋（５）を挟んで固定する挟持枠（６）を屈曲自在に接続してなり、この収納袋（５）にペットの排泄物（１７）を地面に落下する前に捕集するペット用携帯便器において、
前記柄取付部（３）を、前記柄（２）に沿って折り畳まれた収納姿勢と、前記支持枠（４）を水平に保持した展開姿勢とに切り替え自在に支持枠（４）に接続すると共に、前記柄（２）を長さ方向に伸縮自在としていることを特徴とするペット用携帯便器。
【請求項２】
前記挟持枠（６）と前記支持枠（４）とが、連結体（８ｂ）を介して連結されていることを特徴とする請求項１に記載のペット用携帯便器。
【請求項３】
前記柄取付部（３）と前記支持枠（４）とが、連結体（８ａ）を介して連結されていることを特徴とする請求項１又は２に記載のペット用携帯便器。
【請求項４】
前記支持枠（４）の下方に、収納袋（５）を保持する保持ネット（７）が設けられていることを特徴とする請求項１〜３のいずれかに記載のペット用携帯便器。
【請求項５】
前記支持枠（４）と前記挟持枠（６）とが円環状に形成されていることを特徴とする請求項１〜４のいずれかに記載のペット用携帯便器。
【請求項６】
前記収納姿勢にある支持枠（４）の径が１５ｃｍ以下になるように形成されると共に、前記柄（２）が支持枠（４）の径の１．５倍以下の長さまで縮小することを特徴とする請求項５に記載のペット用携帯便器。
【考案の詳細な説明】
【技術分野】
【０００１】
本考案は、ペット、特に飼い犬の散歩時に排泄物を採取して持ち帰れるペット用携帯便器に関するものである。
【背景技術】
【０００２】
この種のペット用携帯便器としては、特許文献１のように、柄の先端側に保持ネットを設けた枠体を固着させ、その枠体の中に収納袋を入れ、その収納袋の開口部の端部全周をリング状のカバーで前記枠体との間に挟んで押さえ固定させるものが知られている。
【特許文献１】特開平５−１７６６５１号公報
【考案の開示】
【考案が解決しようとする課題】
【０００３】
前記ペット用携帯便器は、柄に枠体を固着させているため、バック等に収納できるようにはなっていない。よって、ペットの排泄物を採取して、前記ペット用携帯便器を持ったまま散歩を続ける必要があり、携行性において劣るという問題があった。
本考案は、このような問題点を解決し得るペット用携帯便器を提供することを目的とする。
本考案は、柄を伸縮自在にすると共に、枠体を柄に沿って折りたためるようにすることで、持ち運びが容易にとなるペット用携帯便器を提供すること目的とする。
【課題を解決するための手段】
【０００４】
前記目的を達成するため、本考案は、次の手段を講じた。即ち、
支持枠４の一端側に、棒状の柄２の下端が嵌合した柄取付部３を設け、他端側に前記支持枠４に内嵌して収納袋５を挟んで固定する挟持枠６を屈曲自在に接続してなり、この収納袋５にペットの排泄物１７を地面に落下する前に捕集するペット用携帯便器において、
前記柄取付部３を、前記柄２に沿って折り畳まれた収納姿勢と、前記支持枠４を水平に保持した展開姿勢とに切り替え自在に支持枠４に接続すると共に、前記柄２を長さ方向に伸縮自在としている。
【０００５】
これによって、支持枠４及び挟持枠６が折り畳み可能となると共に、柄２が縮退してコンパクトに変形できるので、ペット用携帯便器１の持ち運びが容易となる。
前記挟持枠６と前記支持枠４とが、連結体８ｂを介して連結されている。
これによって、挟持枠６と前記支持枠４とを一体に成形できるので、部品点数が減って製造コストを下げることが可能となる。
前記柄取付部３と前記支持枠４とが、連結体８ａを介して連結されている。
これによって、さらに挟持枠６、支持枠４及び柄取付部３の全てが一体成形されているので、部品点数をさらに減らすことができ、製造コストを下げることが可能となる。
【０００６】
これによって、構成部材の点数を下げて、製造コストを下げることが可能となる。
前記支持枠４の下方に、収納袋５を保持する保持ネット７が設けられている。
これによって、不意の衝撃等で排泄物１７の入った収納袋５が破損したり、落下するのを防止できる。
前記支持枠４と前記挟持枠６とが円環状に形成されている。
これによって、排泄物１７を確実に収納袋５内に捕集できるようになる。
前記収納姿勢にある支持枠４の径が１５ｃｍ以下になるように形成されると共に、前記柄２が支持枠４の径の１．５倍以下の長さまで縮小する。
【０００７】
これによって、ペット用携帯便器１をコンパクトに折り畳んでバッグ等に入れて携行するのが容易となる。
【考案の効果】
【０００８】
本考案により、ペット用携帯便器の持ち運びが容易となる。
【考案を実施するための最良の形態】
【０００９】
以下、本考案の実施の形態を図面に基づき説明する。
本考案のペット用携帯便器１は、図４に示すように、ペット、特に飼い犬の散歩において、屋外で飼い犬等が排泄の準備動作になった場合に、バッグ等から取り出して折り畳まれた収納状態から使用状態に変形し、飼い犬等の斜め後方から臀部の下方に先端部を差し入れ、この先端部に取り付けたビニール袋等の中に排泄物１７を路面に落下する前に捕集して、ビニール袋等に入れたまま持ち帰ることができるものであって、公園等の公共施設の環境を美的に保ったままペットの散歩を楽しむために用いられるものである。
【００１０】
図１〜３において示すように、ペット用携帯便器１は棒状の柄２と、排泄物１７の通り抜けを容易とするように大きく中央開口した支持枠４と、この支持枠４の一端側に連結体８ａを介して一体に形成される柄取付部３と、前記支持枠４の他端側に連結体８ｂを介して一体形成される挟持枠６とから構成されている。
前記柄２は、合成樹脂製又は金属製の管部材９を管軸方向に複数連結して構成されており、この複数の管部材９が上端と下端とを互いに接続し合って棒状となっている。複数の前記管部材９のうち、上端側に位置する管部材９から下端側に位置するものに向かうにつれて、その内外径は小さくなっており、また隣接する管部材９のいずれかには、伸長により管部材９同士が抜けることがないように、抜け止め規制手段が設けられている。この抜け止め規制手段には公知の手段を用いることができ、例えば隣接下端側の管部材９に径外側に突設される係止ピンを設け、隣接上端側の管部材９にこのピンを挿通して軸方向に案内する案内長孔を設ける等の手段を設けることができ、軸方向に下端側が下方に伸縮自在なテレスコピックな構造をしており、下端側に軸止された柄取付部３を下方に伸ばせるようになっている。
【００１１】
前記柄取付部３は、上面が傾斜した箱状であって、上面の略中央部を挿通孔１１が上下に貫通して形成されており、この挿通孔１１に柄２の下端を挿通して嵌合している。また、ペットの斜め後方からペット用携帯便器１を差し入れて排泄物１７の捕集を行う場合（使用状態）では、前記上面は水平となり、前記挿通孔１１が傾斜方向を向くようになっている。なお、前記上面の傾斜角は一概に決定できるものではないが、好ましくは柄２が水平面と６０度程度の傾斜角で使用できるように、水平面に対して３０度程度傾斜して形成されているのが好ましい。
【００１２】
前記柄取付部３は、支持枠４側の上縁に、帯板状の連結体８ａが一体に形成されており、この連結体８ａを介して支持枠４と連結されている。また、支持枠４の下縁に形成される角部１２は、前記支持枠４の水平な姿勢を支持するように、前記柄２を傾斜させた使用状態において支持枠４の側面に当接する位置に設けられている。
前記連結部材８ａは、帯板状の可撓性材料により形成され、柄取付部３の上面縁部と支持枠４の上面縁部とを屈曲自在に連結している。即ち、前記支持枠４の上面と柄取付部３の上面とが平行に揃って、柄部２が傾斜した状態（使用状態）では、前記連結部材８ａは直線状に伸びている。一方、支持枠４が柄２に沿って収納されている状態（収納状態）では、前記連結部材８ａは屈曲しており、両状態に切り替え可能となる。
【００１３】
前記支持枠４は、環状に形成され、その上面の一端縁側には柄取付部３側に連結体８ａが一体形成されており、その支持枠４の円環中心を挟んだ反対側の上面縁部には連結体８ｂが一体形成されている。また、外周面の下端側には、保持ネット７の上端側を接着固定する、段部形状の保持ネット取付面１３が形成されている。さらに、上端側内縁部には、前記挟持枠６を内嵌する、段部形状の被嵌合部１４が周方向に亘って形成されている。
前記挟持枠６は、前記被嵌合部１４に内嵌する外径を有し、中央部は排泄物１７の通過を妨げないように大きく開口した環状に形成されており、支持枠４に嵌合していない展開状態において、支持枠４側の下面外縁に連結体８ｂは接続している。また、その外周面は前記被嵌合部１４に内嵌する嵌合部１５となっており、この嵌合部１５を収納袋５を被せて被嵌合部１４に嵌合させることで、収納袋５を挟持固定している。
【００１４】
前記支持枠４の挟持枠６側の内周上縁部には段差形状の段部１６が、周方向に沿って連結体８ｂの幅（水平方向の幅を示す）より広めに形成されており、撓んだ連結体８ｂが挟持枠６に当たって、挟持枠６が支持枠４に嵌合できなくなるのを防止している。
前記連結体８ｂは、帯板状の可撓性材料により形成され、支持枠４の上面の縁部と挟持枠６の下面の縁部とを屈曲自在に連結している。即ち、挟持枠６の嵌合部１５が支持枠４の被嵌合部１４と嵌合結合している嵌合状態においては、前記連結体８ｂは屈撓しており、収納袋５が固定されている。一方、非嵌合状態において、前記連結体８ｂは支持枠４と挟持枠６と略水平方向に直線状に配設されている。
【００１５】
前記収納袋５は、市販のゴミ袋、買い物袋、または紙袋などを用いることができ、排泄物１７を収容廃棄できるように水密性の袋が好ましい。
前記保持ネット７は、収納袋５を外方から支持して落下を防止できるように、上方に開口した略三角錐形状に形成されており、合成樹脂製等の繊維糸を編み込んだ網で形成されており、収納時に折り畳めるようになっている。
上述のように構成されるペット用携帯便器１を収納する場合は、挟持枠６を支持枠４に内嵌したまま、支持枠４を柄２の方向に回動（屈曲）させる。支持枠４は柄２と屈曲自在に連結されているので、容易に折り畳むことができる。次いで、柄２を最も管軸長さが短くなるまで縮退させる。
【００１６】
この収納状態において、支持枠４を直径１５ｃｍになるように形成すると共に、前記収納状態において柄２が支持枠４の径の１．５倍以下まで縮小するように構成すると、ペット用携帯便器１をコンパクトに折り畳んでバッグ等に入れて携行するのが容易となる。
本考案は前記実施形態における各部材の形状およびそれぞれの前後・左右・上下の位置関係は、図１〜４に示すように構成することが最良である。しかし、前記実施形態に限定されるものではなく、部材、構成を種々変形したり、組み合わせを変更したりすることもできる。
【００１７】
前記保持ネット７が円筒形に形成しても良く、主に大型犬等のように排泄物１７の量が多い場合に利便性が高い。
前記保持ネット７は、強度が高く破袋しにくい収納袋５を用いる場合は、特に設けなくても良い。
前記挟持枠６の径外側に弾性輪体を設けても良く、これによって収納袋５を確実に固定することができる。
前記連結体８ａまたは連結体８ａ８ｂに替えて、周知のヒンジや枢支手段を用いても良い。
【００１８】
前記柄２と柄取付部３との接続には嵌合以外の、例えば、螺合、接着、溶着等の手段を用いても良い。
また、柄２に伸縮状態を一時的に固定するロック機能等を設けて、使用者の身長やペットの種類に合わせて使用できるようにしても良い。
前記支持枠４または挟持枠６の上方に、捕集した排泄物５の飛び出しを防止する蓋を、開閉自在に設けても良い。
【図面の簡単な説明】
【００１９】
【図１】本考案のペット用携帯便器の斜視図である。
【図２】同展開断面図である。
【図３】同上面図である。
【図４】使用状態を示す説明図である。
【符号の説明】
【００２０】
１    ペット用携帯便器
２    柄
３    柄取付部
４    支持枠
５    収納袋
６    挟持枠
７    保持ネット
８    連結体
【図１】
0003112061.tif 000003
【図２】
0003112061.tif 000004
【図３】
0003112061.tif 000005
【図４】
0003112061.tif 000006